(57)【特許請求の範囲】
【請求項１】
バーコード読取口を有する頭部と該頭部に連なる把持部とを有するケースと、
前記把持部内に設けられた蓄電池収納部と、
前記把持部内に配置された二次コイルと、
前記ケース内に設けられ、外部からの電磁誘導により前記二次コイルが発生した交流を整流し前記蓄電池収納部内にセットされた蓄電池を充電する機能を有する充電回路と、
を備え、
前記二次コイルは、該二次コイルの軸方向に偏平に形成されているとともに、該二次コイルの端面が前記把持部の軸方向にほぼ平行でかつ、前記蓄電池収納部に対面した位置に配置されていることを特徴とするバーコードハンディターミナルに用いられる充電装置であって、
ケースと、
該ケースに設けられ、前記バーコードハンディターミナルの把持部の内、少なくとも、前記二次コイルが配置されている部分を収納するスロット部と、
該スロット部の側面の内側にて、自身の端面が該側面にほぼ平行な状態となるように配置され、前記スロット部に前記バーコードハンディターミナルがセットされた場合に、前記端面が前記バーコードハンディターミナル内の前記二次コイルの端面に対向して該二次コイルに電磁誘導を生じさせることが可能となる一次コイルと、
該一次コイルをその軸方向をほぼ基板面に直角にして配置するとともに、該一次コイルを励起させるための回路が設けられている基板と、
を備え、
前記バーコードハンディターミナルの前記把持部における前記頭部とは反対側の端部近傍の外面にハンドストラップが取り付けられている場合に、該ハンドストラップを前記スロット部から排出するための逃げ溝が、前記基板が配置されている方向を避けて、前記スロット部から前記ケースの外面まで形成されていることを特徴とする充電装置。
【請求項２】
前記基板が前記スロット部に対して前記ケースの前面側に配置され、前記逃げ溝が前記基板を避けて、斜め前方から後方にかけての領域に、前記スロット部から前記ケース外面に伸びている特徴とする請求項１記載の充電装置。
【請求項３】
前記バーコードハンディターミナルの前記把持部における前記頭部とは反対側の端部近傍の外面にハンドストラップが取り付けられている場合に、該ハンドストラップを前記スロット部から排出するための逃げ溝が、前記基板が配置されている方向以外の前記スロット部の側面に、前記スロット部の底部から前記ケースの上面まで形成されていることを特徴とする請求項１記載の充電装置。
【請求項４】
前記スロット部は、後方に傾けて形成されていることにより、前記バーコードハンディターミナルの把持部を収納した場合、該バーコードハンディターミナルが後方に傾いた状態で配置されることを特徴とする請求項１〜３のいずれか記載の充電装置。
【請求項５】
前記後ろへの傾き角度が、０°より大きくて９０°より小さいことを特徴とする請求項４記載の充電装置。
【請求項６】
前記後ろへの傾き角度が、４５°〜８５°であることを特徴とする請求項４記載の充電装置。
【請求項７】
前記後ろへの傾き角度が、７０°〜８０°であることを特徴とする請求項４記載の充電装置。
【発明の詳細な説明】
【０００１】
【発明の属する技術分野】
本発明は、バーコードハンディターミナルおよびその充電装置に関する。
【０００２】
【従来の技術】
コードレスで用いられる情報入出力端末装置やその他の電動機器、例えばコードレス電話機（特開平８−４６６７１号公報）、電動歯ブラシ（実開平４−９８８４４号公報）においては、内部に収納している蓄電池をエネルギー源として機能しているものがある。
【０００３】
この蓄電池を充電するためには、充電装置にコードレス電話機のハンドセットあるいは電動歯ブラシ自身をセットして、接触した電極を介してあるいは電磁結合する一次・二次コイルを介して、充電装置から電気エネルギーを得て、内部に収納している蓄電池を充電している。
【０００４】
この内、特に、電磁誘導により電磁結合する一次・二次コイルを介して電気エネルギーを得るシステムは、外部に電極が露出していないので、デザイン的にも電極の腐蝕や錆を防止するためにも好ましい。
【０００５】
【発明が解決しようとする課題】
しかし、前記一次・二次コイルによる電気エネルギーの伝達を、頻繁に用いるバーコードハンディターミナルおよびその充電装置に利用しようとした場合、十分に電気エネルギーを伝達させるために、比較的大きな径のコイルを使用しなくてはならない。このため、図１０に示すごとく、特開平８−４６６７１号公報や実開平４−９８８４４号公報に記載されている構成を採用すると、バーコードハンディターミナル２００の把持部２０２における端面２０２ａの内部に偏平な二次コイル２０４を、その軸方向を把持部２０２の軸に沿って配置することになる。
【０００６】
このような構成にすると、二次コイル２０４の径が大きいために、把持部２０２の径Ｄ１も大きくしなくてはならず、バーコードハンディターミナル２００の把持部２０２が大きくなってしまった。このことにより、製造コストがアップしたり、あるいは片手で持ってバーコードの読み取り作業したり、更にバーコードハンディターミナル２００の表面の入力操作キー２０６から入力する作業をすることが困難なものとなった。
【０００７】
更に、バーコードハンディターミナル２００に使用される蓄電池２０８は、バーコードハンディターミナル２００が業務用に用いられた場合には、その使用頻度の高さから、充電が間に合わずに交換される回数が多く、バーコードハンディターミナル２００に対する蓄電池２０８の抜き挿しは電話などに比較して頻繁なものとなる。したがって、効率的に抜き挿しできるように、蓄電池２０８は把持部２０２の端面２０２ａに接した部分に配置される。このように蓄電池２０８が把持部２０２に存在していると、図１０に示したごとく蓄電池２０８を避けて二次コイル２０４を配置しなくてはならず、一層、把持部２０２の径Ｄ１が大きくなり、ますます全体としてバーコードハンディターミナル２００が大型化して、上記問題が更に大きいものとなった。
【０００８】
また、このようにバーコードハンディターミナル２００の把持部２０２の端面２０２ａ内部に偏平な二次コイル２０４を配置すると、このバーコードハンディターミナル２００の蓄電池２０８を充電するための充電装置２５０においても、そのスロット部２５２に差し込まれた把持部２０２の端面２０２ａに対向して、一次コイル２５４を、スロット部２５２の底部２５２ａよりも下側に配置しなくてはならず、充電装置２５０の高さが高くなって充電装置２５０も大型化し、製造コストのアップや、広い配置スペースを必要とするという問題点が存在した。また、充電装置２５０が高くなった分、充電装置２５０にセットしたバーコードハンディターミナル２００の高さも高くなり、充電装置２５０の配置に制限を生じると言う問題も生じた。
【０００９】
本発明は、一次・二次コイルによる電気エネルギーの伝達を行う構成とした場合も、二次コイルが把持部を大型化することがないバーコードハンディターミナルに用いられ、一次コイルが大型化することのない充電装置を提供することを目的とするものである。
【００１０】
【課題を解決するための手段及び発明の効果】
ここには、１つまたはそれ以上の発明が記載され、それぞれ以下に述べるような構成および効果を有する。
本発明に用いられるバーコードハンディターミナルは、バーコード読取口を有する頭部と該頭部に連なる把持部とを有するケースと、前記把持部内に設けられた蓄電池収納部と、前記把持部内に配置された二次コイルと、前記ケース内に設けられ、外部からの電磁誘導により前記二次コイルが発生した交流を整流し前記蓄電池収納部内にセットされた蓄電池を充電する機能を有する充電回路とを備えたバーコードハンディターミナルにおいて、
前記二次コイルは、該二次コイルの軸方向に偏平に形成されているとともに、該二次コイルの端面が前記把持部の軸方向にほぼ平行でかつ、前記蓄電池収納部に対面した位置に配置されていることを特徴とする。
【００１１】
二次コイルは、その端面が把持部の軸方向にほぼ平行に配置されているために、二次コイルの径がそのまま把持部の径の大きさを規定することはなく、せいぜい把持部の幅あるいは厚さのいずれかしか規定しない。二次コイルは偏平に形成されているためその軸方向の長さは短く、特に、この二次コイルの軸方向においては把持部の径を十分に小さくできる。
【００１２】
また、二次コイルの端面は、蓄電池収納部に対面した位置に配置されているため、蓄電池収納部に対して二次コイルは短い軸方向にて重なることになり、やはり蓄電池収納部部分での把持部の径を大きくすることはない。
したがって、二次コイルが把持部の厚さ、幅の両方を規定することはなく、厚さあるいは幅の一方については十分に小さくすることができ、一次・二次コイルによる電気エネルギーの伝達を行う構成とした場合もバーコードハンディターミナルの把持部の大型化を抑制できる。
【００１３】
ここで、蓄電池は、略直方体状に形成されたものであれば、蓄電池収納部は、蓄電池を収納した場合、蓄電池の最も長い方向を把持部の軸方向とほぼ平行に、かつ最も短い方向を二次コイルに向けるように配置されている構成とすれば、蓄電池の最も薄い方向に二次コイルの薄い方向が重なるので、蓄電池と二次コイルとの重なりが、把持部の大径化を招かない。
【００１４】
なお、把持部の側面には、略平面状の入力操作キー配置領域が設けられ、バーコード読取口は、前記頭部において前記入力操作キー配置領域とは反対側に偏在されている構成であっても良い。
なお、蓄電池収納部および二次コイルは、把持部における前記頭部とは反対側の端部近傍に配置されていても良い。このようにすることにより、充電装置側において、バーコードハンディターミナルの把持部を挿入するスロット部が浅くてすむので、充電装置側の大型化を招かない。
【００１５】
本発明の充電装置は、ケースと、該ケースに設けられ、上述したいずれかのバーコードハンディターミナルの把持部の内、少なくとも、前記二次コイルが配置されている部分を収納するスロット部と、スロット部の側面の内側にて、自身の端面が該側面にほぼ平行な状態となるように配置され、前記スロット部に前記バーコードハンディターミナルがセットされた場合に、一次コイルの端面が前記バーコードハンディターミナル内の二次コイルの端面に対向して二次コイルに電磁誘導を生じさせることが可能となる一次コイルと、一次コイルをその軸方向をほぼ基板面に直角にして配置するとともに、一次コイルを励起させるための回路が設けられている基板とを備えた充電装置である。
【００１６】
このように、バーコードハンディターミナルの二次コイルの配置に合わせて、一次コイルを、スロット部の側面の内側にて、一次コイルの端面がスロット部の側面にほぼ平行な状態となるように配置されているため、従来のごとく、スロット部の底部の下側に一次コイルを配置しなくても済むので、充電装置の高さも抑制され大型化しない。また、この充電装置にセットされるバーコードハンディターミナルの高さも抑制されて、充電装置の配置制限が少なくなる。また、スロット部の側面の内側は、スロット部の下側に比較してスペースが空いているので、充電装置の配置面積を広げにくく、スペースの有効利用ともなる。また、スロット部にごみが入ったとしても、従来のごとく、スロット部の底部を、一次コイルと二次コイルとが挟んでいないので、一次コイルと二次コイルとの間にごみが入りにくく、電磁誘導による電磁結合を阻害しにくくなる。
【００１７】
更に、バーコードハンディターミナルの把持部における頭部とは反対側の端部近傍の外面にハンドストラップが取り付けられている場合に、このハンドストラップを前記充電装置のスロット部から排出するための逃げ溝が、一次コイルが設けられている基板が配置されている方向を避けて、スロット部からケースの外面まで形成されていても良い。
【００１８】
前述したバーコードハンディターミナルの把持部がスロット部に挿入されると、把持部内の二次コイルは、その端面は把持部の側面に沿った配置状態となる。このため、充電装置の一次コイルが配置された基板は、把持部の側面に平行となるように配置される。すなわち、基板はスロット部の側面近傍に側面にほぼ平行に配置される。このとき、把持部の頭部とは反対側の端部にハンドストラップ（手掛かり用のひも）が存在するバーコードハンディターミナルを充電装置にセットする場合には、このハンドストラップをスロット部から逃すための一つの方法として、逃げ溝を設けることがある。この逃げ溝の一例として、スロット部の側面の一部を開放して、充電装置のケースの外部まで達する溝を設けることがある。上述した充電装置の構成では、スロット部の軸方向とは直角方向のいずれかの方向には、基板が存在しているので、この基板の方向を避けて、逃げ溝をスロット部からケースの外面まで形成することになる。例えば、基板がスロット部に対してケースの前面側に配置されていれば、逃げ溝は基板を避けて、斜め前方から後方にかけての領域に、スロット部からケース外面に伸ばすように形成する。
【００１９】
また、上述したごとくスロット部の軸方向とはほぼ直角方向に伸びる逃げ溝以外に、基板が配置されている方向以外のスロット部の側面に、スロット部の底部からケースの上面まで伸びる逃げ溝を形成しても良い。すなわち、スロット部の軸方向とはほぼ平行な方向にケースの上面まで伸びる逃げ溝を設けても良い。この場合はハンドストラップは、充電装置の上方に排出される。
【００２０】
スロット部はその軸方向を垂直方向に形成されている必要はなく、例えば、後方に傾けて形成されていても良い。このことにより、バーコードハンディターミナルの把持部をスロット部に収納した場合、バーコードハンディターミナルが後方に傾いた状態で配置されることになり、バーコードハンディターミナルを使用しようとする際に、把持部が把持し易いという効果がある。また、スロット部に配置した場合にバーコードハンディターミナルの前面に情報表示領域あるいは入力操作キー配置領域が存在している場合には、更にバーコードハンディターミナルを充電装置に配置したままで、情報の確認や入力操作キーへの操作が容易となる。また、バーコードハンディターミナルを垂直に配置するよりも高さが低くなり、従来のコードレス電話機のごとくバーコードハンディターミナルを水平に配置するよりも充電装置の配置面積が少なくて済む。
【００２１】
なお、この後ろへの傾き角度は、０°より大きくて９０°より小さい角度であり、好ましくは、４５°〜８５°であり、最も好ましくは、７０°〜８０°である。特に、７０°〜８０°であれば、充電装置の大型化防止も設置場所の省スペースも十分に満足できるものとなる。
【００２２】
【発明の実施の形態】
［実施の形態１］
図１に本発明の一実施の形態としてのバーコードハンディターミナル２の斜視図を、図２にバーコードハンディターミナル２の左側面図を、図３に本発明の一実施の形態としての充電装置４の斜視図を示す。
【００２３】
バーコードハンディターミナル２は頭部６と把持部８とから構成され、頭部６にはバーコード読取口１０が把持部８の軸方向（ここでは長手方向）Ｘに対して角度を有する方向に開口している。また、このバーコード読取口１０とはほぼ反対側における頭部６には情報表示領域としての液晶ディスプレイ１２が配置されている。
【００２４】
この頭部６と連なって一体に形成されている把持部８における側面の内、前記液晶ディスプレイ１２と同じ側の側面は、略平面状の入力操作キー配置領域１４を構成し、複数の入力操作キー１６が配列されている。すなわち、バーコード読取口１０は、頭部６において入力操作キー配置領域１４とは反対側に偏在されている。
【００２５】
バーコードハンディターミナル２の外側全体を構成するケース２ａの内部には、発光装置、受光装置あるいはデコーダ等の図示していない光学的バーコード読み取り機構が収納されている。これらの機構は一般的な機構であるので詳細な説明は省略する。
【００２６】
この光学的バーコード読み取り機構が必要とする電気エネルギーは、頭部６とは反対側の把持部８の端部内に形成されている蓄電池収納部１８内にセットされた蓄電池２０から供給されている。したがって、バーコードハンディターミナル２は、コードレスにてバーコードを読み取る機能を果たすことができる。
【００２７】
また、バーコードハンディターミナル２には、ホストシステム側へデータを光通信で送信するための、図示していない発光素子および受光素子がそれぞれ複数設けられ、デコーダにて解析されたバーコードデータの内容が発光素子を介して光通信でホストシステムに送信され、更にホストシステムからの各種データが受光素子を介してバーコードハンディターミナル２にて受信される。このような通信機構も一般的な機構であるので詳細な説明は省略する。
【００２８】
また、蓄電池２０は、蓄電池収納部１８に設けられている整流機能を有する充電回路を介して二次コイル２２からの電力が供給されると、充電されるよう構成されている。二次コイル２２は、短い楕円筒形に形成され、二次コイル２２自身の軸方向に偏平な円盤状をなしている。この二次コイル２２は、把持部８における頭部６とは反対側の端部近傍に配置され、二次コイル２２の端面２２ａ，２２ｂは把持部８の軸方向Ｘにほぼ平行でかつ、蓄電池収納部１８に対面した位置に配置されている。
【００２９】
蓄電池２０は、略直方体状に形成され、蓄電池収納部１８に収納された場合には、蓄電池２０の最も長い方向ａを把持部８の軸方向Ｘとほぼ平行に、かつ最も短い方向ｂを二次コイル２２に向けるように配置されている。したがって、蓄電池２０と二次コイル２２が重なっても把持部８がそんなに厚くならない。
【００３０】
また、頭部６とは反対側の把持部８の端部近傍の外面には、手掛かりのために、ハンドストラップ２４が取り付けられている。
充電装置４は、その外形は、直方体状に形作る上ケース３０とこの上ケース３０の下に連なる板状の下ケース３１とからなり、上ケース３０の上面３０ａに、バーコードハンディターミナル２の把持部８の一部を挿入するための長方形凹部状のスロット部３２が設けられている。上ケース３０内には、スロット部３２の手前側（前面３０ｂ側）に、基板３４が、その基板面３４ａを、スロット部３２へのバーコードハンディターミナル２の抜き挿し方向Ｓにほぼ平行に、すなわち対向しているスロット部３２の側面に平行に配置されている。この基板３４には、一次コイル３６がその軸方向Ａをほぼ基板面３４ａに直角にして取り付けられている。すなわち、一次コイル３６は、その軸方向Ａが対向しているスロット部３２の側面に直角となるように取り付けられている。
【００３１】
したがって、スロット部３２にバーコードハンディターミナル２がセットされた場合に、一次コイル３６は、バーコードハンディターミナル２内の二次コイル２２の端面２２ａに対向するので二次コイル２２に電磁誘導を生じさせることが可能となる。
【００３２】
また、基板３４には、図示していないが、交流電源コード３８を介して、交流電源を整流する整流回路、整流回路から出力された電圧を調整するスイッチング回路、およびスイッチング回路からの出力を交流電圧に変換し一次コイル３６へ供給して励起させる発振回路が設けられている。これらの機構は一般的な機構であるので詳細な説明は省略する。
【００３３】
なお、スロット部３２から上ケース３０の前面３０ｂへは、ハンドストラップ２４をスロット部３２から排除するための逃げ溝４０が、スロット部３２とほぼ同じ深さで形成されている。この逃げ溝４０は、基板３４が配置されている方向を避けて、斜め前方に向かって形成されている。
【００３４】
このように構成されたバーコードハンディターミナル２の把持部８の先端を、充電装置４のスロット部３２へ挿入し、ハンドストラップ２４を逃げ溝４０から外に出した状態を図４の斜視図および図５の左側面図に示す。
図示されているごとく、バーコードハンディターミナル２側の二次コイル２２は、充電装置４側の一次コイル３６とそれぞれその端面２２ａ，３６ａ同士で近接状態で対面している。したがって、一次コイル３６が発振されると電磁誘導により二次コイル２２に交流電流が発生する。このことにより蓄電池収納部１８内にセットされた蓄電池２０を充電することができる。
【００３５】
しかも、二次コイル２２は、その端面２２ａが把持部８の軸方向Ｘにほぼ平行に配置されているために、二次コイル２２の径がそのまま把持部８の径（ここでは厚さと幅）の大きさを規定することはない。二次コイル２２は偏平に形成されているためその軸方向の長さ（厚さ）ｔは短く、この二次コイル２２の軸方向においては把持部８の径（ここでは厚さ）を小さくできる。
【００３６】
また、二次コイル２２の端面２２ａ，２２ｂは、蓄電池収納部１８に対面した位置に配置されているため、蓄電池収納部１８に対して二次コイル２２は短い軸方向にて重なることになり、蓄電池収納部１８の部分でも把持部８の径（ここでは厚さ）を大きくすることはない。
【００３７】
したがって、二次コイル２２が把持部８の厚さ、幅の両方を規定することはない。ここでは厚さについては小さくすることができ、一次コイル３６・二次コイル２２を用いる電気エネルギーの伝達構成としても、バーコードハンディターミナル２の把持部８の大型化を抑制できる。
【００３８】
なお、蓄電池収納部１８および二次コイル２２は、把持部８における頭部６とは反対側の端部近傍に配置されているので、充電装置４側において、バーコードハンディターミナル２の把持部８を挿入するスロット部３２が浅くてすみ、充電装置４側の大型化を招かない。
【００３９】
また、充電装置４は、バーコードハンディターミナル２の二次コイル２２の配置に合わせて、一次コイル３６を、スロット部３２の側面の内側にて、一次コイル３６の端面３６ａがスロット部３２の側面にほぼ平行な状態となるように配置されているため、従来のごとく、スロット部３２の底部３２ａの下側に一次コイル３６を配置しなくても済むので、充電装置４の高さも抑制され大型化しない。また、この充電装置４にセットされるバーコードハンディターミナル２の高さも抑制されて、充電装置４の配置制限が少なくなる。また、スロット部３２の側面の内側の内部領域４ａは、スロット部３２の下側に比較してスペースが空いているので、充電装置４の配置面積を広げにくく、スペースの有効利用ともなる。また、スロット部３２にごみが入ったとしても、従来のごとく、スロット部３２の底部３２ａを、一次コイル３６と二次コイル２２とが挟んでいないので、一次コイル３６と二次コイル２２との間にごみが入りにくく、電磁誘導による電磁結合を阻害しにくくなる。
【００４０】
逃げ溝４０は基板３４を避けて、上ケース３０の外周面あるいは上面まで、ハンドストラップ２４を導けば良いので、例えば、図６〜図８のごとくに形成しても良い。
すなわち、図６に示す充電装置５４では、スロット部５６からは基板５８を避けて、上ケース６０の前面６０ｂ側でなく、右側面６０ｃに逃げ溝６２が伸び出して開口している。したがって、バーコードハンディターミナル２の把持部８を充電装置５４のスロット部５６に挿入した場合には、上ケース６０の右側面６０ｃからハンドストラップ２４が外部に出る状態となる。
【００４１】
また、図７に示す充電装置７４では、スロット部７６からは基板７８を避けて、上ケース８０の前面８０ａ側でなく、後面８０ｄに逃げ溝８２が伸び出して開口している。したがって、バーコードハンディターミナル２の把持部８を充電装置７４のスロット部７６に挿入した場合には、上ケース８０の後面８０ｄからハンドストラップ２４が外部に出る状態となる。
【００４２】
また、図８に示す充電装置９４では、ハンドストラップ２４をスロット部９６から排出するための逃げ溝９８が、基板１００が配置されている方向以外のスロット部９６の側面９６ａに、スロット部９６の底部９６ｂから上ケース１０２の上面１０２ａまで形成されている。すなわち、前述した逃げ溝４０，６２，８２は横方向（スロット部９６の軸方向とは直角方向）に上ケース３０，６０，８０の外面まで伸び出して開口していたが、図８の逃げ溝９８はスロット部９６の軸方向とは平行な方向に伸び出して上面１０２ａで開口している。このため、バーコードハンディターミナル２の把持部８を充電装置９４のスロット部９６に挿入した場合には、上ケース１０２の上面１０２ａからハンドストラップ２４が外部に出る状態となる。
【００４３】
［実施の形態２］
実施の形態１では把持部８が充電装置４，５４，７４，９４が載置されている面に垂直となるようにバーコードハンディターミナル２が充電装置４，５４，７４，９４にセットされるのに対し、本実施の形態２ではスロット部１１６の軸方向が斜めに形成されていることにより、把持部８が後方に倒されている状態で充電装置１１４にセットされる。この場合の載置面１９０とバーコードハンディターミナル２の把持部８とのなす角度θは、４５°〜８５°である。
【００４４】
この角度θに合わせて、充電装置１１４の上ケース１１８内部の基板１２０も倒されて配置されているので、基板１２０上の一次コイル１２２も把持部８内の二次コイル２２に正対することができる。
このことにより、バーコードハンディターミナル２の把持部８をスロット部１１６に収納した場合、バーコードハンディターミナル２が後方に傾いた状態で配置されることになり、バーコードハンディターミナル２を使用しようとする際に、把持部８が把持し易いという効果がある。また、スロット部１１６に配置した場合にバーコードハンディターミナル２の前面に液晶ディスプレイ１２および入力操作キー１６が存在しているので、更にバーコードハンディターミナル２を充電装置１１４に配置したままで、情報の確認や入力操作キーへの操作が容易となる。また、バーコードハンディターミナル２を垂直に配置するよりも、全体の高さが低くなり、従来のコードレス電話機のごとくバーコードハンディターミナル２を水平に配置するよりも充電装置４の配置面積が少なくて済む。
【００４５】
なお、特に角度θは７０°〜８０°が上記効果を高める上で一層好ましい範囲である。特に、７０°〜８０°であれば、充電装置１１４も大型化せずに設置の場所が狭くても済む。
［その他］
前記バーコードハンディターミナル２においては、二次コイル２２は断面が円形のコイルであったが、楕円形であってもその他の形であっても良い。
【図面の簡単な説明】
【図１】  本発明の実施の形態１としてのバーコードハンディターミナルの斜視図である。
【図２】  バーコードハンディターミナルの左側面図である。
【図３】  充電装置の斜視図である。
【図４】  充電装置にバーコードハンディターミナルをセットした状態を示す斜視図である。
【図５】  充電装置にバーコードハンディターミナルをセットした状態を示す左側面図である。
【図６】  充電装置の逃げ溝の他の例を示す斜視図である。
【図７】  充電装置の逃げ溝の他の例を示す斜視図である。
【図８】  充電装置の逃げ溝の他の例を示す斜視図である。
【図９】  実施の形態２としての充電装置にバーコードハンディターミナルをセットした状態を示す左側面図である。
【図１０】  従来例の充電装置に従来例のバーコードハンディターミナルをセットした状態を示す左側面図である。
【符号の説明】
２…バーコードハンディターミナル      ２ａ…ケース
４…充電装置    ４ａ…内部領域    ６…頭部      ８…把持部
１０…バーコード読取口    １２…液晶ディスプレイ
１４…入力操作キー配置領域    １６…入力操作キー
１８…蓄電池収納部    ２０…蓄電池    ２２…二次コイル
２２ａ，２２ｂ，３６ａ…端面    ２４…ハンドストラップ
３０…上ケース    ３０ａ…上面    ３０ｂ…前面    ３１…下ケース
３２…スロット部    ３２ａ…底部    ３４…基板    ３４ａ…基板面
３６…一次コイル    ４０…逃げ溝    ５４…充電装置
５６…スロット部    ５８…基板    ６０…上ケース    ６０ｂ…前面
６０ｃ…右側面    ６２…逃げ溝    ７４…充電装置
７６…スロット部    ７８…基板    ８０…上ケース    ８０ａ…前面
８０ｄ…後面    ８２…逃げ溝    ９４…充電装置    ９６…スロット部
９６ａ…側面    ９６ｂ…底部    ９８…逃げ溝  １００…基板
１０２…上ケース  １０２ａ…上面  １１４…充電装置
１１６…スロット部  １１８…上ケース  １２０…基板
１２２…一次コイル  １９０…載置面
【図１】
0003642122.tif 000002
【図２】
0003642122.tif 000003
【図３】
0003642122.tif 000004
【図４】
0003642122.tif 000005
【図５】
0003642122.tif 000006
【図６】
0003642122.tif 000007
【図７】
0003642122.tif 000008
【図８】
0003642122.tif 000009
【図９】
0003642122.tif 000010
【図１０】
0003642122.tif 000011